(57)【特許請求の範囲】
【請求項１】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、
前記受信部が、通常モード中に前記明るさセンサの制御目標値を設定する第１のリモコン信号を受信すると、通常モードから設定モードに移行するとともに，前記リモコンは、前記照明器具の設定情報の返信要求を行うものであり、前記照明器具は、前記リモコンからの返信要求が有ると、返信要求に応じて設定情報を返信するものであり，前記設定情報は、前記明るさセンサ値と前記明るさセンサの感度とから明るさを算出するテーブルであることを特徴とする照明装置。
【請求項２】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、
前記第１のリモコン信号を送出する送信部と、前記第２のリモコン信号を受信する受信部とを有するリモコンとを備え、
前記照明器具の受信部が、通常モード中に前記明るさセンサの制御目標値を設定する第１のリモコン信号を受信すると、通常モードから設定モードに移行するとともに，前記リモコンは、前記照明器具の設定情報の返信要求を行うものであり、前記照明器具は、前記リモコンからの返信要求が有ると、返信要求に応じて設定情報を返信するものであり，前記設定情報は、前記明るさセンサ値と前記明るさセンサの感度とから明るさを算出するテーブルであることを特徴とする照明装置。
【請求項３】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、
前記受信部が、通常モード中に前記明るさセンサの制御目標値を設定する第１のリモコン信号を受信すると、通常モードから設定モードに移行するとともに，前記リモコンは、前記照明器具の設定情報を表示する表示部を有するものであり，前記設定情報は、前記明るさセンサ値と前記明るさセンサの感度とから明るさを算出するテーブルであることを特徴とする照明装置。
【請求項４】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、
前記第１のリモコン信号を送出する送信部と、前記第２のリモコン信号を受信する受信部とを有するリモコンとを備え、
前記照明器具の受信部が、通常モード中に前記明るさセンサの制御目標値を設定する第１のリモコン信号を受信すると、通常モードから設定モードに移行するとともに，前記リモコンは、前記照明器具の設定情報を表示する表示部を有するものであり，前記設定情報は、前記明るさセンサ値と前記明るさセンサの感度とから明るさを算出するテーブルであることを特徴とする照明装置。
【請求項５】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、
前記受信部が、通常モード中に前記明るさセンサの制御目標値を設定する第１のリモコン信号を受信すると、通常モードから設定モードに移行するとともに，前記リモコンは、少なくとも１つの前記照明器具の設定情報を格納する記憶部を有するものであり，前記設定情報は、前記明るさセンサ値と前記明るさセンサの感度とから明るさを算出するテーブルであることを特徴とする照明装置。
【請求項６】
ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、
前記第１のリモコン信号を送出する送信部と、前記第２のリモコン信号を受信する受信部とを有するリモコンとを備え、
前記照明器具の受信部が、通常モード中に前記明るさセンサの制御目標値を設定する第１のリモコン信号を受信すると、通常モードから設定モードに移行するとともに，前記リモコンは、少なくとも１つの前記照明器具の設定情報を格納する記憶部を有するものであり，前記設定情報は、前記明るさセンサ値と前記明るさセンサの感度とから明るさを算出するテーブルであることを特徴とする照明装置。
【発明の詳細な説明】
【０００１】
【発明の属する利用分野】
本発明は照明装置に関する。
【０００２】
【従来の技術】
本発明に係る第１の従来例の模式的な構成図を図９に、制御ユニット３の模式的な底面図を図１０に、ブロック構成図を図１１に、動作フローチャートを図１２に示す。
【０００３】
本従来例は、床面からの反射光を制御ユニット３に設けた明るさセンサ１３で検知し、明るさセンサ１３の検知出力値が略一定になるように、制御ユニット３に設けられた器具制御部１５から照明器具４に設けられた安定器１６に調光信号Ｓ１を送って、照明器具４に設けられたランプ１７の光出力をフィードバック制御するものである。本従来例では、リモートコントロール（以下、リモコンと呼ぶ。）５からのリモコン信号１２を制御ユニット３に設けたリモコン受信部２で受信して、明るさセンサ１３の制御目標値を設定することができる。また、リモコン５は、リモコン信号１２を送信するリモコン送信部７と、明るさセンサ１３の制御目標値や明るさ目標値等を入力する操作部９、１０と、操作部９、１０からの入力信号に基づいてリモコン信号１２に変換等を行うリモコン制御部１８とから構成される。
【０００４】
以下、図１２を参照して動作を簡単に説明する。
【０００５】
リモコン５からのリモコン信号１２の入力があって、そのリモコン信号１２が設定モード信号であると、各設定モード（明るさ、調光上限、調光下限などを設定するモード）に移行する。各々の設定モードに移行すると、通常のフィードバック制御モードから抜ける。設定モード信号が明るさを変化させる信号の場合には、調光レベルをｕｐ／ｄｏｗｎさせて明るさを調整する。そして、調整が完了すると、記憶信号により調整完了時の明るさセンサ１３の値を制御目標値として記憶し、記憶つまり設定された明るさセンサ１３の制御目標値に略一定になるようにフィードバック制御を行う通常モードに移行する。
【０００６】
しかし、前記第１の従来例では以下に示すような問題点が生じてしまう。
【０００７】
各設定モードでの設定中などに設定作業を一旦中止すると、どの設定モードであるのかまた調光レベルがどれくらいであるのか分からなくなってしまい、最初から設定作業を行い直すなどの手間が生じてしまう。また、設定された明るさセンサ１３の値や現在の調光レベルが分からないために、再設定する場合などは、現在の調光レベルに対して定量的に再設定される調光レベルを算出することが困難になってしまう。
【０００８】
前記第１の従来例の問題点を解決したものとして特開平１１−１８５９７４号公報に示したもの（本発明に係る第２の従来例）があり、その模式的な構成図を図１に、制御ユニット３の模式的な底面図を図２に、ブロック構成図を図３に、表示部８への表示例を図１３に、リモコン５の模式的な外観図を図１４に、動作フローチャートを図１５、１１に示す。
【０００９】
図９乃至図１２に示した第１の従来例と異なる点は、器具側（ここでは制御ユニット３）に、リモコン５へ器具側の動作状態（現在の動作モードや調光レベルなど）を送信するリモコン送信部１を設けて、リモコン５側に、器具側から送信されたリモコン信号１１を受信してリモコン制御部１８へ変換及び送信するリモコン受信部６と、設定モードや動作モードや制御目標値などの器具の動作モード等の設定状態（以下、設定情報と呼ぶ。）を表示する表示部８とを設けたことであり、その他の第１の従来例と同一構成には同一符号を付すことにより説明を省略する。
【００１０】
ここで、リモコン５の模式的な一例を図１３、図１４に示す。図１３に示すものは表示部８であり、モード選択スイッチなどで選択された動作モード（ここでは明るさセンサ設定中）と調光レベル（ここでは５０％）とが表示されている。図１３中において■印で図示されたものが現在の動作モードを示している。また、リモコン５には、表示部８の他に、調光ＵＰ、調光ＤＯＷＮ、モード選択、記憶、送信、確認の各スイッチ９、１０が設けられており、各スイッチを操作することにより以下のように動作する。
調光ＵＰ：調光レベルを上げるような信号を出力する。
調光ＤＯＷＮ：調光レベルを下げるような信号を出力する。
モード選択：表示部８上の、設定中、明るさセンサ、調光上限、調光下限の各項目の選択を行う。
記憶：記憶信号を出力する。
送信：器具がモード選択スイッチで選んだ動作モードになるような信号を出力する。
確認：確認信号を出力する。
【００１１】
以下、図１５、図１６を参照して動作を簡単に説明する。
【００１２】
リモコン５からのリモコン信号１２の入力があって、そのリモコン信号１２が設定モード信号であると、各設定モード（明るさ、調光上限、調光下限などを設定するモード）に移行する。各々の設定モードに移行すると、通常のフィードバック制御モードから抜ける。設定モード信号が明るさを変化させる信号の場合には、調光レベルをｕｐ／ｄｏｗｎさせて明るさを調整する。そして、調整が完了すると、リモコン信号１２としての記憶信号により、調整完了時の明るさセンサ１３の値を制御目標値として記憶し、記憶された（設定された）明るさセンサ１３の制御目標値になるようにフィードバック制御を行う通常モードに移行する。また、リモコン５に設けられた確認スイッチを操作することによりリモコン信号としての確認信号を器具側に出力し、確認信号を受けた器具側からの返信信号によって現在の動作モードや現在の調光レベルが返信され、その返信された情報が表示部８に表示されることにより、器具の動作状態を確認する。
【００１３】
以上の様に構成することで、動作モード等の設定状態を操作者の手元などで容易に確認することができ、設定作業などの向上が可能な照明装置を提供できる。
【００１４】
なお、表示部８としては、液晶表示装置、ＬＥＤ素子、７セグメントのＬＥＤ、ＥＬ表示装置、プラズマ表示装置等を用いても、他の構成であってもよい。また、本装置は、各器具が信号線などで接続され、各器具間で情報の受け渡しを行うことにより、各器具間の連動制御が行える構成に用いてもよい。更に、用途によっては、明るさセンサ１３が無くてもよく、他のセンサ（例えば、人体検知センサ、昼光センサ）を用いてもよく、更にまた、時計やカウンタ等を用いてスケジュール制御が行える様な構成であってもよい。
【００１５】
【発明が解決しようとする課題】
しかし、前記第１の従来例では、更に、調光レベルを設定するには設定モードに切り換えて調光レベルをｕｐ／ｄｏｗｎさせる手間が生じてしまい、つまり、モード切換の手間が生じてしまう、という問題点が生じてしまう。
【００１６】
前記第２の従来例では、確認信号としてエラー情報が多いものを送信した場合には、リモコンコードが増加してしまったり、操作が複雑になってしまい、また、明るさセンサの制御情報を確認できない、という問題点が生じてしまう。
【００１７】
本発明は前記全ての問題点に鑑みてなされたもので、その目的とするところは、動作モード等の設定状態を容易に確認することができることで、器具への設定情報の設定のメンテナンスを容易にすることが可能で、リモコンの操作性を向上可能な照明装置を提供することである。
【００１９】
前記問題点を解決するために、請求項１記載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、
前記受信部が、通常モード中に前記明るさセンサの制御目標値を設定する第１のリモコン信号を受信すると、通常モードから設定モードに移行するとともに，前記リモコンは、前記照明器具の設定情報の返信要求を行うものであり、前記照明器具は、前記リモコンからの返信要求が有ると、返信要求に応じて設定情報を返信するものであり，前記設定情報は、前記明るさセンサ値と前記明るさセンサの感度とから明るさを算出するテーブルであることを特徴とする。
【００２０】
請求項２載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、前記第１のリモコン信号を送出する送信部と、前記第２のリモコン信号を受信する受信部とを有するリモコンとを備え、前記照明器具の受信部が、通常モード中に前記明るさセンサの制御目標値を設定する第１のリモコン信号を受信すると、通常モードから設定モードに移行するとともに，前記リモコンは、前記照明器具の設定情報の返信要求を行うものであり、前記照明器具は、前記リモコンからの返信要求が有ると、返信要求に応じて設定情報を返信するものであり，前記設定情報は、前記明るさセンサ値と前記明るさセンサの感度とから明るさを算出するテーブルであることを特徴とする。
【００２１】
請求項３記載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、前記受信部が、通常モード中に前記明るさセンサの制御目標値を設定する第１のリモコン信号を受信すると、通常モードから設定モードに移行するとともに，前記リモコンは、前記照明器具の設定情報を表示する表示部を有するものであり，前記設定情報は、前記明るさセンサ値と前記明るさセンサの感度とから明るさを算出するテーブルであることを特徴とする。
【００２２】
請求項４記載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、前記第１のリモコン信号を送出する送信部と、前記第２のリモコン信号を受信する受信部とを有するリモコンとを備え、前記照明器具の受信部が、通常モード中に前記明るさセンサの制御目標値を設定する第１のリモコン信号を受信すると、通常モードから設定モードに移行するとともに，前記リモコンは、前記照明器具の設定情報を表示する表示部を有するものであり，前記設定情報は、前記明るさセンサ値と前記明るさセンサの感度とから明るさを算出するテーブルであることを特徴とする。
【００２３】
請求項５記載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記第１のリモコン信号を送出する送信部を有するリモコンとを備え、前記受信部が、通常モード中に前記明るさセンサの制御目標値を設定する第１のリモコン信号を受信すると、通常モードから設定モードに移行するとともに，前記リモコンは、少なくとも１つの前記照明器具の設定情報を格納する記憶部を有するものであり，前記設定情報は、前記明るさセンサ値と前記明るさセンサの感度とから明るさを算出するテーブルであることを特徴とする。
【００２４】
請求項６記載の発明によれば、ランプと、明るさセンサと、リモコンより送出される第１のリモコン信号を受信する受信部と、前記受信部からの信号に応じて前記ランプの光出力あるいは前記明るさセンサの制御目標値の少なくとも一方を制御する制御部と、前記制御部から受信した信号を第２のリモコン信号に変換して前記リモコンへ送出する送信部とを有する照明器具と、前記第１のリモコン信号を送出する送信部と、前記第２のリモコン信号を受信する受信部とを有するリモコンとを備え、前記照明器具の受信部が、通常モード中に前記明るさセンサの制御目標値を設定する第１のリモコン信号を受信すると、通常モードから設定モードに移行するとともに，前記リモコンは、少なくとも１つの前記照明器具の設定情報を格納する記憶部を有するものであり，前記設定情報は、前記明るさセンサ値と前記明るさセンサの感度とから明るさを算出するテーブルであることを特徴とする。
【００２７】
【実施の形態】
（実施の形態１）本発明に係る第１の実施の形態における、各動作モードに対するリモコンモードを示すものを図４に、リモコンの模式的な外観図を図５に、動作フローチャートを図６に示す。  本発明に係る第１の実施の形態における模式的な構成図は図１と同様であり、制御ユニット３の模式的な底面図は図２と同様であり、ブロック構成図は図３と同様であるので省略する。前記第２の従来例と異なる点は、通常モード中に設定できる第２の設定モード（以下、設定モードと呼ぶ。）を設けたことであり、その他の第２の従来例と同一構成には同一符号を付すことにより説明を省略する。
【００２８】
ここで、主な設定モードを以下に示す。
１）手動調光モード・・明るさセンサ１３によるフィードバック制御に関わらず、調光レベルをｕｐ／ｄｏｗｎさせて強制的にマニュアルで調光を行う。その場合のリモコンコードはＵＰ／ＤＯＷＮである。
２）明るさセンサ値設定モード・・・通常モードにおける明るさセンサ１３の値を設定する。その場合のリモコンコードはＣＮＴ−ＵＰ／ＣＮＴ−ＤＯＷＮである。
３）明るさセンサ値の微調整モード・・通常モードにおいて、設定されていた明るさセンサ１３の値を微調整する。その場合のリモコンコードはＡ−ＵＰ／Ａ−ＤＯＷＮである。４）通常モードへの移行の場合のリモコンコードはＳＥＮＳＡである。
【００２９】
以下、図４乃至図６を参照して動作を簡単に説明する。
【００３０】
通常モード中に、リモコン５からのリモコン信号入力が割り込み、そのリモコン信号１２が設定モード信号であると、各設定モード（明るさ、調光上限、調光下限などを設定するモード）に移行する。各々の設定モードに移行すると、通常のフィードバック制御モードから抜ける。設定モード信号が手動調光モードの信号（リモコンコードはＵＰ／ＤＯＷＮ）の場合には手動調光モードへ移行し、該モードにおいて調光レベルをｕｐ／ｄｏｗｎさせて明るさを調整する。設定モード信号が明るさセンサ値設定モードの信号（リモコンコードはＣＮＴ−ＵＰ／ＣＮＴ−ＤＯＷＮ）の場合には明るさセンサ値設定モードへ移行し、該モードにおいて調光レベルをｕｐ／ｄｏｗｎさせて明るさを調整する。設定モード信号が明るさセンサ値の微調整モードの信号の場合には明るさセンサ値の微調整モード（リモコンコードはＡ−ＵＰ／Ａ−ＤＯＷＮ）へ移行し、該モードにおいて調光レベルをｕｐ／ｄｏｗｎさせて明るさを調整する。
【００３１】
そして、各設定モードで調整が完了すると、リモコン信号１２としての記憶信号により、調整完了時の明るさセンサ１３の値を記憶し、通常モードへの移行の信号（リモコンコードはＳＥＮＳＡ）を送信して、記憶された明るさセンサ１３の制御目標値になるようにフィードバック制御を行う通常モードに移行する。
【００３２】
一方、各設定モードで調整が未完了中に通常モードへの移行の信号（リモコンコードはＳＥＮＳＡ）を送信すると、設定モードに入る前の明るさセンサ１３の制御目標値になるようにフィードバック制御を行う通常モードに移行する。
【００３３】
以上の様に構成することで、リモコン信号１２としての記憶信号を送信するだけで明るさセンサ１３の制御目標値を記憶し、通常モードへ移行することができる、つまり、リモコン５側では送信ボタンが不要となり、リモコン５の操作性が向上し、またリモコン５の小型化を図ることができる。
【００３４】
また、各設定モード中にエラーが発生すると器具側ではエラーモードに移行する。エラーモードに移行すると、照明器具４がフル点灯したり点滅したり、あるいは別置されるＬＥＤなどの報知手段を点灯させるなどして、エラーモードに移行した旨を操作者に知らせる。このエラーの内容を確認したい場合には、リモコン５から安定器１６の種類を確認したい旨の確認信号を器具側へ送信する。確認信号を受けた器具側からの返信信号によってエラー情報が返信され、その返信された情報が表示部８に表示されることにより、器具のエラー状態を確認する。なお、返信信号の内容はヘッダーとフッダーとを除くと２５６ｂｉｔの情報が格納できるが、例えば、本装置には１０種類程度の安定器１６が適応可能とする場合、そのうちの８ｂｉｔ分がデータ部分で残りの２４８ｂｉｔの領域が余ることになる。この余った領域をエラーコードとして利用することで、新たにエラー用のリモコンコードを設ける必要が無く、リモコンコードを有効に利用することができる。
【００３５】
また、本実施の形態に用いる明るさセンサ回路の一例を図７に示す。本回路は、フォトダイオードとＩＣ２１と抵抗Ｒ１〜Ｒ８とマイコン２２とからなり、ＩＣ２１の負端子に互いに並列に接続された抵抗Ｒ１〜Ｒ５をマイコン２２で切り換えることにより、明るさセンサ１３の感度を切り換えることができる。このように明るさセンサ１３の感度を切り換えることにより、検知できる範囲を切り換えている。
【００３６】
（実施の形態２）
本発明に係る第２の実施の形態のブロック構成図を図８に示す。
【００３７】
第１の実施の形態と異なる点は、リモコン５に器具の設定情報を少なくとも１つは記憶する記憶部２０を設けたことであり、その他の第１の実施の形態を同一構成には同一符号を付すことにより説明を省略する。ここで、図８に示すブロック構成図では、器具側の構成を省略し、リモコン５側の構成を簡略図示しているが、例えば、図１に示したものであってもよい。
【００３８】
記憶部２０に設定される設定情報とは、例えば、明るさセンサ値と明るさセンサ１３の感度とから明るさを算出できるテーブルであってもよく、この場合、リモコン５は、器具側から現在の明るさセンサ値と現在の明るさセンサの感度とを受信する（例えば、リモコンコードで受信する）と、このテーブルから明るさを算出し、表示部８に表示するものとしても良い。
【００３９】
このように構成することによって、照度計などの機器が無い場合であっても大よその明るさを計測することができる。
【００４０】
また、記憶部２０に設定される設定情報とは、器具側から現在の明るさセンサ値と現在の明るさセンサの感度と設定された明るさセンサ値とをリモコン５で受信したものであってもよく、この場合、それらを表示部８に表示するができる。
【００４１】
また、記憶部２０に設定される設定情報とは、廊下用や共通スペース用や事務室用の動作モードや、特定の月や特定の日や特定の季節用（例えば、タイムスケジュール制御）など用途や器具の設置場所に応じたものであってもよいし、器具側からダウンロードしてもよいし、リモコン５側で設定したものであってもよいし、予め格納してあるものであってもよい。そして、記憶部２０に記憶された設定情報は、表示部８で呼び出して表示させ、また、送信部７より器具側に送信することで容易に再現することができる。
【００４２】
ここで、上述の動作モードとは、例えば以下の様なものが考えられる。
【００４３】
廊下用なら人体検知による点灯保持時間は短くし、事務室用なら人体検知による点灯保持時間は長くする。また、ホテルのロビーなどのような共通スペースなら調光レベルを低くし、事務所用なら調光レベルを高くする。更に、事務所用なら、就業時間は調光レベルを高くし、昼休みは調光レベルを低くし、就業時間外は人体検知が有る場合にのみ点灯する。更にまた、事務所などでレイアウト変更した際に、互いに連動する器具の組み合わせを切り替える。また、常夜灯の如く動作させる、強制フル点灯させる。時刻の変化と共に調光レベルを変化させる。
【００４４】
この様に構成することで、設定情報を格納しておくことができるので、ある器具の設定情報を他の器具に設定することや、繰り返し同じ設定情報を用いることや、用途別や場所別や時間別など応じて設定情報を使い分けることなど、設定情報を自由に使うことができ、更には、器具への設定情報の設定のメンテナンスを容易にすることができる。
【００４５】
【発明の効果】
請求項１乃至請求項６に記載の発明によれば、動作モード等の設定状態を容易に確認することができることで、器具への設定情報の設定のメンテナンスを容易にすることが可能で、リモコンの操作性を向上可能な照明装置を提供する。
【００４６】
請求項５，６記載の発明によれば、設定情報を格納しておくことができるので、ある器具の設定情報を他の器具に設定することや、繰り返し同じ設定情報を用いることや、用途別や場所別や時間別など応じて設定情報を使い分けることなど、設定情報を自由に使うことが可能な照明装置を提供できる。
【００４７】
請求項１乃至請求項６記載の発明によれば、照度計などの機器が無い場合であっても大よその明るさを計測することが可能な照明装置を提供できる。
【図面の簡単な説明】
【図１】本発明に係る模式的な構成図を示す。
【図２】本発明に係る制御ユニット３の模式的な底面図を示す。
【図３】本発明に係るブロック構成図を示す。
【図４】本発明に係る各動作モードに対するリモコンモードを示す。
【図５】本発明に係るリモコンの模式的な外観図を示す。
【図６】本発明に係る動作フローチャートを示す。
【図７】本発明に係る明るさセンサ回路の一例を示す。
【図８】本発明に係る別のブロック構成図を示す。
【図９】本発明に係る従来例の模式的な構成図を示す。
【図１０】本発明に係る従来例の制御ユニット３の模式的な底面図を示す。
【図１１】本発明に係る従来例のブロック構成図を示す。
【図１２】本発明に係る従来例の動作フローチャートを示す。
【図１３】本発明に係る従来例の表示部８への表示例を示す。
【図１４】本発明に係る従来例のリモコン５の模式的な外観図を示す。
【図１５】本発明に係る従来例の動作フローチャートを示す。
【図１６】本発明に係る従来例の別の動作フローチャートを示す。
【符号の説明】
４        照明器具
５        リモコン
１、７    送信部
２、６    受信部
１３      明るさセンサ
１７      ランプ
２０      記憶部
【図１】
0003890837.tif 000002
【図２】
0003890837.tif 000003
【図３】
0003890837.tif 000004
【図４】
0003890837.tif 000005
【図５】
0003890837.tif 000006
【図６】
0003890837.tif 000007
【図７】
0003890837.tif 000008
【図８】
0003890837.tif 000009
【図９】
0003890837.tif 000010
【図１０】
0003890837.tif 000011
【図１１】
0003890837.tif 000012
【図１２】
0003890837.tif 000013
【図１３】
0003890837.tif 000014
【図１４】
0003890837.tif 000015
【図１５】
0003890837.tif 000016
【図１６】
0003890837.tif 000017